(57)【要約】【課題】自動運転出力信頼度に関わらずドライバ用心度を適切に維持する。【解決手段】マニュアル運転と自動運転とを切り換え可能な車両の自動運転制御システムは、ドライバ状態センサ９、表示部４０、及び電子制御ユニット２０を備える。電子制御ユニットは、自動運転制御部２２、自動運転出力信頼度を算出する信頼度算出部２３、ドライバ用心度を算出する用心度算出部２４、及び、表示部に前記自動運転出力信頼度及び前記ドライバ用心度を同時に表示するように構成されている表示制御部５０、を備える。【選択図】図２３
2019021335.tif 000002
【特許請求の範囲】
【請求項１】
ドライバの状態を検出するドライバ状態センサと、前記ドライバが視認可能な表示部と、電子制御ユニットと、を備えた、マニュアル運転と自動運転とを切り換え可能な車両の自動運転制御システムであって、
前記電子制御ユニットは、
自動運転を制御するように構成されている自動運転制御部と、
前記自動運転制御部の出力の信頼性の度合いを表す自動運転出力信頼度を算出するように構成されている信頼度算出部と、
前記自動運転に対するドライバの用心の度合いを表すドライバ用心度を前記ドライバ状態センサにより検出されたドライバの状態に基づいて算出するように構成されている用心度算出部と、
前記表示部を制御して前記表示部に前記自動運転出力信頼度及び前記ドライバ用心度を同時に表示するように構成されている表示制御部と、
を備える、車両の自動運転制御システム。
【請求項２】
前記電子制御ユニットは、前記ドライバ用心度の下限目標である下限目標用心度を前記自動運転出力信頼度に基づいて算出するように構成されている目標用心度算出部であって、前記下限目標用心度は前記自動運転出力信頼度が低くなるにつれて高くなる、目標用心度算出部を更に備え、
前記表示制御部は前記表示部に、前記自動運転出力信頼度が高くなるにつれて第１の軸線に沿いつつ第１の端部から第２の端部に向かうように前記自動運転出力信頼度を表示し、前記ドライバ用心度が高くなるにつれて前記第１の軸線に沿いつつ前記第２の端部から前記第１の端部に向かうように前記ドライバ用心度を表示し、更に、前記ドライバ用心度が前記下限目標用心度に等しいときに、表示された前記自動運転出力信頼度と表示された前記ドライバ用心度とが前記第１の軸線に垂直な第２の軸線方向に見て互いに一致するように、前記自動運転出力信頼度及び前記ドライバ用心度を表示するように構成されている、
請求項１に記載の車両の自動運転制御システム。
【発明の詳細な説明】
【技術分野】
【０００１】
本発明は車両の自動運転制御システムに関する。
【背景技術】
【０００２】
自動運転を制御する自動運転制御部と、ドライバの覚醒度を認識する認識部と、認識された覚醒度が所定レベル以下となった場合にドライバに覚醒を促す警報部と、を備えた、マニュアル運転と自動運転とを切り換え可能な車両の自動運転制御システムが公知である（例えば、特許文献１参照）。
【先行技術文献】
【特許文献】
【０００３】
【特許文献１】特開平６−１７１３９１号公報
【発明の概要】
【発明が解決しようとする課題】
【０００４】
ところで、詳しくは後述するが、車両の自動運転をどの程度適切に行うことができるか、すなわち自動運転制御部の出力をどの程度信頼できるかは必ずしも一定ではない。すなわち、自動運転制御部が例えばＧＰＳ（Ｇｌｏｂａｌ  Ｐｏｓｉｔｉｏｎｉｎｇ  Ｓｙｓｔｅｍ）からの信号を用いて自車両の位置を同定し、同定結果に基づいて自動運転を行う場合、ＧＰＳからの信号を良好に受信できるときには、自動運転制御部は自車両の位置を正確に同定することができ、したがって自動運転を適切に行うことができる。すなわち、このときの自動運転制御部の出力の信頼度は高い。これに対し、例えば自車両の周囲の地形等の影響によりＧＰＳからの信号を良好に受信することが困難なときには、自動運転制御部は、自車両の位置を正確に同定することが困難であり、したがって自動運転を適切に行うことが困難である。言い換えると、このときの自動運転制御部の出力の信頼度は低い。
【０００５】
自動運転制御部の出力の信頼度が低いときには、マニュアル運転に対する準備のために、ドライバの覚醒度は高い必要がある。逆に、自動運転制御部の出力の信頼度が高いときには、ドライバの覚醒度は低くても構わない。
【０００６】
しかしながら、上述の特許文献１では、自動運転制御部の出力の信頼度について何ら言及されていない。このため、自動運転制御部の出力の信頼度が高くても、ドライバの覚醒度が所定レベルよりも高く維持される。その結果、ドライバが過度に緊張した状態に維持されるおそれがある。この点、上述の所定レベルを低く設定すれば、ドライバの覚醒度は低く維持され、ドライバが過度に緊張するという問題点が解決できるかもしれない。ところが、この場合に自動運転制御部の出力の信頼度が何らかの理由で低下すると、このときドライバの覚醒度は低いので、ドライバはマニュアル運転に対する準備が十分にできておらず、したがってドライバが混乱するおそれがある。
【０００７】
そこで、ドライバの自動運転に対する用心の度合いをドライバ用心度と称すると、本発明の目的は、自動運転出力信頼度に関わらずドライバ用心度を適切に維持することができる車両の自動運転制御システムを提供することにある。
【課題を解決するための手段】
【０００８】
本発明の一観点によれば、ドライバの状態を検出するドライバ状態センサと、前記ドライバが視認可能な表示部と、電子制御ユニットと、を備えた、マニュアル運転と自動運転とを切り換え可能な車両の自動運転制御システムであって、前記電子制御ユニットは、自動運転を制御するように構成されている自動運転制御部と、前記自動運転制御部の出力の信頼性の度合いを表す自動運転出力信頼度を算出するように構成されている信頼度算出部と、前記自動運転に対するドライバの用心の度合いを表すドライバ用心度を前記ドライバ状態センサにより検出されたドライバの状態に基づいて算出するように構成されている用心度算出部と、前記表示部を制御して前記表示部に前記自動運転出力信頼度及び前記ドライバ用心度を同時に表示するように構成されている表示制御部と、を備える、車両の自動運転制御システムが提供される。
【発明の効果】
【０００９】
自動運転出力信頼度に関わらずドライバ用心度を適切に維持することができる。
【図面の簡単な説明】
【００１０】
【図１】本発明による第１実施例の車両の自動運転制御システムのブロック図を示す図である。
【図２】本発明による第１実施例の外部センサを説明する概略図である。
【図３】本発明による第１実施例の内部センサを説明する概略図である。
【図４】本発明による第１実施例の自動運転制御部のブロック図を示す図である。
【図５】自動運転制御部の機能を説明する概略図である。
【図６】領域部分のマップを示す図である。
【図７】本発明による第１実施例の働き掛け制御を説明する図である。
【図８】本発明による第１実施例の働き掛け制御を説明する図である。
【図９】ドライバに対する働き掛けの強さのマップを示す図である。
【図１０】本発明による第１実施例の働き掛け制御ルーチンを示すフローチャートである。
【図１１】本発明による別の実施例の領域部分のマップを示す図である。
【図１２】本発明による別の実施例の領域部分のマップを示す図である。
【図１３】本発明による別の実施例の領域部分のマップを示す図である。
【図１４】本発明による別の実施例の領域部分のマップを示す図である。
【図１５】本発明による別の実施例の領域部分のマップを示す図である。
【図１６】本発明による別の実施例の領域部分のマップを示す図である。
【図１７】本発明による第２実施例の車両の自動運転制御システムのブロック図を示す図である。
【図１８】下限目標用心度のマップを示す図である。
【図１９】本発明による第２実施例の働き掛け制御を説明する図である。
【図２０】ドライバに対する働き掛けの強さのマップを示す図である。
【図２１】ドライバに対する働き掛けの強さのマップを示す図である。
【図２２】本発明による第１実施例の働き掛け制御ルーチンを示すフローチャートである。
【図２３】本発明による第３実施例の車両の自動運転制御システムのブロック図を示す図である。
【図２４】本発明による第３実施例の表示部における表示の一例を示す概略図である。
【図２５】本発明による第３実施例の表示機能を説明する図である。
【図２６】本発明による第３実施例の表示機能を説明する図である。
【図２７】本発明による第３実施例の表示機能を説明する図である。
【図２８】本発明による第３実施例の表示機能を説明する図である。
【図２９】本発明による第３実施例の表示制御ルーチンを示すフローチャートである。
【図３０】表示部における表示の別の例を示す概略図である。
【図３１】表示部における表示の別の例を示す概略図である。
【図３２】表示部における表示の別の例を示す概略図である。
【発明を実施するための形態】
【００１１】
図１は本発明による第１実施例の車両の自動運転制御システムのブロック図を示している。図１を参照すると、車両の自動運転制御システムは外部センサ１、ＧＰＳ受信部２、内部センサ３、地図データベース４、記憶装置５、ナビゲーションシステム６、ＨＭＩ（Ｈｕｍａｎ  Ｍａｃｈｉｎｅ  Ｉｎｔｅｒｆａｃｅ）７、種々のアクチュエータ８、ドライバ状態センサ９、働き掛け部１０、及び電子制御ユニット（ＥＣＵ，Ｅｌｅｃｔｒｏｎｉｃ  Ｃｏｍｐｕｔｅｒ  Ｕｎｉｔ）２０を備える。
【００１２】
外部センサ１は自車両の外部又は周囲の情報を検出するための検出機器である。外部センサ１はライダー（ＬＩＤＡＲ：Ｌａｓｅｒ  Ｉｍａｇｉｎｇ  Ｄｅｔｅｃｔｉｏｎ  ａｎｄ  Ｒａｎｇｉｎｇ）、レーダー（Ｒａｄａｒ）、及びカメラのうち少なくとも１つを備える。本発明による第１実施例では図２に示されるように、外部センサ１はライダーＳＯ１、レーダーＳＯ２、及びカメラＳＯ３を備える。
【００１３】
ライダーＳＯ１はレーザー光を利用して自車両が走行している道路や外部の障害物を検出する装置である。図２に示される例ではライダーＳＯ１は車両Ｖの屋根上に設置される。ライダーＳＯ１は、自車両Ｖの全周囲に向けてレーザー光を順次照射し、その反射光から道路上及び道路周辺の障害物までの距離を計測し、自車両Ｖの全周囲における道路及び障害物を三次元画像の形で検出する。ライダーＳＯ１により検出された道路及び障害物の三次元画像は電子制御ユニット２０へ送信される。一方、レーダーＳＯ２は、電波を利用して自車両Ｖの外部の障害物を検出する装置である。図２に示される例ではレーダーＳＯ２は車両Ｖの前後のバンパーに取り付けられる。レーダーＳＯ２は、レーダーＳＯ２から自車両Ｖの周囲に電波を発射し、その反射波から自車両Ｖの周囲の障害物までの距離を計測する。レーダーＳＯ２により検出された障害物情報は電子制御ユニット２０へ送信される。カメラＳＯ３は図２に示される例では、車両Ｖのフロントガラスの内側に設けられた前方カメラを備える。前方カメラＳＯ３は自車両Ｖの前方をカラー撮影し、前方カメラＳＯ３によるカラー撮影情報は電子制御ユニット２０へ送信される。なお、上述したようにライダーＳＯ１及びレーダーＳＯ２は自車両Ｖの周囲の障害物までの距離を計測し、したがってこれらの一方又は両方は測距センサとも称される。
【００１４】
再び図１を参照すると、ＧＰＳ受信部２は、３個以上のＧＰＳ衛星からの信号を受信し、それにより自車両Ｖの絶対位置（例えば自車両Ｖの緯度及び経度）を検出する。ＧＰＳ受信部２により検出された自車両Ｖの絶対位置情報は電子制御ユニット２０へ送信される。
【００１５】
内部センサ３は、自車両Ｖの走行状態を検出するための検出機器である。自車両Ｖの走行状態は、自車両の速度、加速度、及び姿勢のうち少なくとも１つにより表される。内部センサ３は、車速センサ及びＩＭＵ（Ｉｎｅｒｔｉａｌ  Ｍｅａｓｕｒｅｍｅｎｔ  Ｕｎｉｔ）の一方又は両方を備える。本発明による第１実施例では内部センサ３は車速センサ及びＩＭＵを備える。車速センサは、自車両Ｖの速度を検出する。ＩＭＵは例えば３軸のジャイロ及び３方向の加速度センサを備え、自車両Ｖの３次元の角速度及び加速度を検出し、それらに基づいて自車両Ｖの加速度及び姿勢を検出する。内部センサ３により検出された自車両Ｖの走行状態情報は電子制御ユニット２０へ送信される。
【００１６】
地図データベース４は、地図情報に関するデータベースである。この地図データベース４は例えば車両に搭載されたＨＤＤ（Ｈａｒｄ  ｄｉｓｋ  ｄｒｉｖｅ）内に記憶されている。地図情報には、例えば道路の位置情報、道路形状の情報（例えば、カーブと直線部の種別、カーブの曲率、交差点、合流点及び分岐点の位置など）などが含まれる。
【００１７】
記憶装置５には、ライダーＳＯ１により検出された障害物の三次元画像及びライダーＳＯ１の検出結果に基づき作成された自動運転専用の道路地図が記憶されている。これら障害物の三次元画像及び道路地図は常時又は定期的に更新される。
【００１８】
ナビゲーションシステム６は、ＨＭＩ７を介し自車両Ｖのドライバによって設定された目的地まで自車両Ｖを案内する装置である。このナビゲーションシステム６は、ＧＰＳ受信部２により検出された自車両Ｖの現在の位置情報と地図データベース４の地図情報とに基づいて、目的地に至るまでの目標ルートを演算する。この自車両Ｖの目標ルートの情報は電子制御ユニット２０へ送信される。
【００１９】
ＨＭＩ７は、自車両Ｖの乗員と車両の自動運転制御システムとの間で情報の出力及び入力を行うためのインターフェイスである。本発明による第１実施例ではＨＭＩ７は、文字又は画像情報を表示するディスプレイ、音を発生するスピーカ、及び乗員が入力操作を行うための操作ボタン又はタッチパネルを備える。
【００２０】
アクチュエータ８は、電子制御ユニット２０からの制御信号に応じて自車両Ｖの走行操作を制御するための装置である。車両Ｖの走行操作には車両Ｖの駆動、制動及び操舵が含まれる。アクチュエータ８は、駆動アクチュエータ、制動アクチュエータ、及び操舵アクチュエータのうちの少なくとも１つを備える。駆動アクチュエータは、車両Ｖの駆動力を提供するエンジン又は電気モータの出力を制御し、それにより車両Ｖの駆動操作を制御する。制動アクチュエータは、車両Ｖの制動装置を操作し、それにより車両Ｖの制動操作を制御する。操舵アクチュエータは、車両Ｖの操舵装置を操作し、それにより車両Ｖの操舵操作を制御する。
【００２１】
ＨＭＩ７において乗員により自動運転を開始すべき入力操作がなされると、電子制御ユニット２０に信号が送られて自動運転が開始される。すなわち、車両Ｖの走行操作である駆動、制動及び操舵がアクチュエータ８により制御される。一方、ＨＭＩ７において乗員により自動運転を停止すべき入力操作がなされると、電子制御ユニット２０に信号が送られて自動運転が停止され、車両Ｖの走行操作の少なくとも１つがドライバにより行われるマニュアル運転が開始される。言い換えると、自動運転からマニュアル運転に切り換えられる。なお、自動運転時にドライバにより車両Ｖの走行操作が行なわれたとき、すなわちドライバがステアリングを操作したとき、アクセルペダルを踏み込んだとき、又は、ブレーキペダルを踏み込んだときにも、自動運転からマニュアル運転に切り換えられる。更に、自動運転中に自動運転が困難と判断されたときには、ＨＭＩ７を介してドライバに対しマニュアル運転が要求される。
【００２２】
ドライバ状態センサ９はドライバの状態を検出するための検出機器である。ドライバの状態は例えば、ドライバの外観及び内部状態の一方又は両方により表される。ドライバの外観は例えば、ドライバの視線、ドライバの瞼の状態、ドライバの顔の向き、ドライバの姿勢、ドライバがセカンドタスクをしているか否か、ドライバがステアリングを把持しているか否か、ドライバが車両Ｖの座席に与える圧力（着座圧）の分布、ドライバ用座席の調節量のうちの少なくとも１つにより表される。ドライバの姿勢は、腕組みしているか否か、ドライバの手の位置などによって表わされる。セカンドタスクは、車両Ｖの走行操作以外の行動、例えば携帯電話の操作などを含む。ドライバ用座席の調節量は、ドライバ用座席の位置、座席の背もたれ部分の角度など、ドライバにより調節可能な状態量によって表わされる。一方、ドライバの内部状態は例えば、ドライバの心拍数、血圧、皮膚電位のうちのような生理的指標により表される。
【００２３】
ドライバの状態がドライバの視線、ドライバの瞼の状態、ドライバの顔の向き、ドライバの姿勢、ドライバがセカンドタスクをしているか否かなどにより表される場合には、ドライバ状態センサは、例えば車両Ｖの内部に取り付けられたドライバカメラを備える。このドライバカメラはドライバを撮影する。図３に示される例では、ドライバ状態センサ９はドライバＤに向かうよう車両Ｖのインストルメントパネルに取り付けられたドライバカメラＳＤを備える。ドライバの状態が、ドライバがステアリングを把持しているか否かにより表される場合には、ドライバ状態センサ９は例えば、ステアリングに取り付けられた接触センサを備える。この接触センサは、例えばドライバがステアリングをあらかじめ定められた設定把持力よりも高い把持力でもって把持しているか否かを検出する。ドライバの状態が着座圧の分布により表される場合には、ドライバ状態センサ９は座席に取り付けられた着座圧センサを備える。この着座圧センサは着座圧の分布を検出する。ドライバの状態がドライバ用座席の状態により表される場合には、ドライバ状態センサ９は、座席に取り付けられた座席状態センサを備える。この座席状態センサはドライバ用座席の状態を検出する。ドライバの状態がドライバの内部状態により表わされる場合には、ドライバ状態センサ９は、例えばステアリングに取り付けられた内部状態センサを備える。この内部状態センサは例えばドライバの生理的指標を検出する。ドライバ状態センサ９により検出されたドライバの状態情報は電子制御ユニット２０へ送信される。
【００２４】
働き掛け部１０はドライバに対する働き掛けを行うことが可能な装置である。ドライバに対する働き掛けは、例えば、視覚的働き掛け、聴覚的働き掛け、及び体感的働き掛けのうちの少なくとも１つを含む。ドライバに対する働き掛けが視覚的働き掛けを含む場合、働き掛け部１０は、ドライバが視認可能な表示部を備える。表示部は例えば、文字情報又は画像情報を表示するディスプレイ、ランプなどの少なくとも１つを備える。図３に示される例では、働き掛け部１０は車両Ｖのインストルメントパネルに取り付けられたディスプレイＡを備える。なお、本発明による第１実施例では、働き掛け部１０及びＨＭＩ７は共通のディスプレイを備える。本発明による別の実施例（図示しない）では、働き掛け部１０及びＨＭＩ７はそれぞれ個別のディスプレイを備える。一方、ドライバに対する働き掛けが聴覚的働き掛けを含む場合、働き掛け部１０は例えば、音又は声を発するスピーカを備える。ドライバに対する働き掛けが体感的働き掛けを含む場合、働き掛け部１０は例えば、ドライバに振動を与える振動器、ドライバの座席の角度又は位置を変更するドライバ座席調整器などの少なくとも１つを備える。
【００２５】
働き掛け部１０はドライバに対する働き掛けの強さを変更することができる。すなわち、働き掛け部１０がディスプレイを備える場合には、例えば、ディスプレイに表示される画像等の変化の頻度が上昇されることによりドライバに対する働き掛けが強められ、この頻度が低下されることによりドライバに対する働き掛けが弱められる。あるいは、画像等の変化のインターバルが短縮されることによりドライバに対する働き掛けが強められ、このインターバルが延長されることによりドライバに対する働き掛けが弱められる。働き掛け部１０がスピーカを備える場合には、例えば、スピーカから発せられる音の大きさが増大されることによりドライバに対する働き掛けが強められ、この音の大きさが減少されることによりドライバに対する働き掛けが弱められる。あるいは、スピーカから発せられる音の周波数が増大されることによりドライバに対する働き掛けが強められ、この音の周波数が低下されることによりドライバに対する働き掛けが弱められる。働き掛け部１０がドライバ座席調整器を備える場合には、例えば、座席の背もたれ部分の向きが垂直に近づけられることによりドライバに対する働き掛けが強められ、座席の背もたれ部分の向きが水平に近づけられることによりドライバに対する働き掛けが弱められる。
【００２６】
電子制御ユニット２０は、双方向性バスによって相互に接続されたＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを備えたコンピュータである。図１に示されるように、本発明による第１実施例の電子制御ユニット２０は、ＲＯＭ及びＲＡＭを有する記憶部２１、自動運転制御部２２、信頼度算出部２３、用心度算出部２４、及び働き掛け制御部２５を備える。
【００２７】
自動運転制御部２２は、車両の自動運転を制御するように構成されている。図４は本発明による第１実施例の自動運転制御部２２のブロック図を示している。図４を参照すると、本発明による第１実施例の自動運転制御部２２は、複数の制御部、すなわち自己位置同定部２２ａ、障害物検出部２２ｂ、動的／静的識別部２２ｃ、トラッキング部２２ｄ、統合認知部２２ｅ、信号機状態認識部２２ｆ、及び、判断／進路生成部２２ｇを備える。次に、図５を参照して自動運転制御部２２の機能を説明する。
【００２８】
図５を参照すると、自己位置同定部２２ａには、自車両Ｖのおおまかな位置及び姿勢の情報がＧＰＳ受信部及びＩＭＵから入力されると共に、自車両Ｖの周辺の物標点の情報が測距センサから入力される。自己位置同定部２２ａでは、これらの入力と、記憶装置５内に記憶されている自動運転専用の道路地図とに基づいて、自車両Ｖの位置及び姿勢が補正される。一例では、測距センサから入力された物標点の位置が、道路地図内の物標点の位置に一致するように、自車両Ｖの位置及び姿勢が補正される。すなわち、補正済みの自車両Ｖの位置及び姿勢の情報が自己位置同定部２２ａから出力される。
【００２９】
一方、障害物検出部２２ｂには、自車両Ｖの周辺の物標点の情報が測距センサから入力されると共に、補正された自車両Ｖの位置及び姿勢が自己位置同定部２２ａから入力される。障害物検出部２２ｂでは、これらの入力と、記憶装置５内の道路地図とに基づいて、自車両Ｖの周囲の障害物が検出される。一例では、測距センサにより検出された物標点と、道路地図内の物標点との差分に基づいて、障害物が検出される。別の実施例（図示しない）では、測距センサにより検出された物標点の形状があらかじめ記憶されているテンプレートの形状と一致するか否かに基づいて、障害物が検出される。すなわち、自車両Ｖの周囲の障害物の情報が障害物検出部２２ｂから出力される。
【００３０】
動的／静的識別部２２ｃには、自車両Ｖの周囲の障害物の情報が障害物検出部２２ｂから入力される。動的／静的識別部２２ｃでは、この入力と、記憶装置５内の道路地図とに基づいて、障害物が動的障害物であるか静的障害物であるかが識別される。動的障害物は他車両、歩行者のように移動可能な障害物であり、静的障害物は建築物のように移動不能な障害物である。すなわち、動的障害物の情報及び静的障害物の情報が動的／静的識別部２２ｃから出力される。
【００３１】
トラッキング部２２ｄには、動的障害物の情報が動的／静的識別部２２ｃから入力される。トラッキング部２２ｄでは、この入力に基づいて、動的障害物の動きが追跡され、平滑化される。すなわち、平滑化済みの動的障害物の動きの情報がトラッキング部２２ｄから出力される。
【００３２】
統合認知部２２ｅには、補正済みの自車両Ｖの位置及び姿勢の情報が自己位置同定部２２ａから入力され、静的障害物の情報が動的／静的識別部２２ｃから入力され、平滑化済みの動的障害物の動きの情報がトラッキング部２２ｄから入力される。統合認知部２２ｅでは、これらの入力に基づいて、自車両Ｖの外部環境の種々の情報が互いに統合された統合車外環境情報が形成される。統合車外環境情報には、例えば、動的障害物の特定情報（例えば、動的障害物が車両であるか歩行者であるか）や、静的障害物の特定情報（例えば、静的障害物が静止している車両であるか、建築物であるか）などが含まれる。すなわち、統合車外環境情報が統合認知部２２ｅから出力される。
【００３３】
信号機状態認識部２２ｆには、前方カラー画像が前方カメラから入力される。信号機状態認識部２２ｆでは、自車両Ｖの前方の信号機の情報が特定される。信号機の情報には、自車両Ｖの前方に信号機が存在するか、信号機が青信号であるか、などの情報が含まれる。すなわち、信号機の状態の情報が信号機状態認識部２２ｆから出力される。
【００３４】
判断／進路生成部２２ｇには、補正済みの自車両Ｖの位置及び姿勢の情報が自己位置同定部２２ａから入力され、統合車外環境情報が統合認知部２２ｅから入力され、平滑化済みの動的障害物の動きの情報がトラッキング部２２ｄから入力され、信号機の状態の情報が信号機状態認識部２２ｆから入力される。判断／進路生成部２２ｇでは、これらの入力と、記憶装置５内の道路地図と、ナビゲーションシステム６により演算された目標ルートとに基づいて、種々の判断が行われると共に、自車両Ｖの目標進路の情報が生成される。すなわち、自車両Ｖの目標進路の情報が判断／進路生成部２２ｇから出力される。
【００３５】
判断／進路生成部２２ｇから出力された目標進路の情報、すなわち自動運転制御部２２の出力はアクチュエータ８に入力される。アクチュエータ８では、自車両Ｖが目標進路に従って走行するように、自車両Ｖの走行操作が制御される。
【００３６】
再び図１を参照すると、信頼度算出部２３は、自動運転制御部２２の出力の信頼性の度合いを表す自動運転出力信頼度（ｒｅｌｉａｎｃｅ）を算出するように構成されている。なお、自動運転出力信頼度は連続的又は段階的に変化する数値の形で算出される。
【００３７】
用心度算出部２４は、自動運転に対するドライバの用心の度合いを表すドライバ用心度（ｖｉｇｉｌａｎｃｅ）をドライバ状態センサ９により検出されたドライバの状態に基づいて算出するように構成されている。なお、ドライバ用心度は連続的又は段階的に変化する数値の形で算出される。
【００３８】
働き掛け制御部２５は、働き掛け部１０を制御してドライバへの働き掛けの強さを制御するように構成されている。
【００３９】
さて、上述したように、自動運転出力信頼度は自動運転制御部２２の出力の信頼性の度合いを表している。本発明による第１実施例では、自動運転制御部２２の出力は、判断／進路生成部２２ｇの出力、すなわち目標進路の情報であるので、自動運転出力信頼度は目標進路の情報の信頼性の度合いを表している。すなわち、例えば、目標進路の情報が正確であるときには、目標進路の情報が不正確であるときに比べて、自動運転出力信頼度は高い。
【００４０】
図５を参照して説明したように、自動運転制御部２２の出力、すなわち判断／進路生成部２２ｇの出力は、上述した複数の制御部２２ａ，２２ｂ，２２ｃ，２２ｄ，２２ｅ，２２ｆの出力に基づいて求められる。したがって、自動運転制御部２２の出力の信頼性の度合いである自動運転出力信頼度は、制御部２２ａ，２２ｂ，２２ｃ，２２ｄ，２２ｅ，２２ｆの出力の信頼性の度合いに依存する。そこで、本発明による第１実施例では、複数の制御部２２ａ，２２ｂ，２２ｃ，２２ｄ，２２ｅ，２２ｆ，２２ｇのうち少なくとも１つの出力の信頼性の度合いに基づいて自動運転出力信頼度が算出される。
【００４１】
具体的には、例えば、自己位置同定部２２ａの出力、すなわち自車両Ｖの位置及び姿勢の情報が正確であるときには、この情報が不正確であるときに比べて、自己位置同定部２２ａの出力の信頼性の度合いは高く、したがって自動運転出力信頼度は高い。この場合、例えば、信号を受けているＧＰＳ衛星の数が多いときは、信号を受けているＧＰＳ衛星の数が少ないときに比べて、自己位置同定部２２ａの出力は正確である。あるいは、信号を受けているＧＰＳ衛星が分散して位置しているときには、信号を受けているＧＰＳ衛星が集まって位置しているときに比べて、自己位置同定部２２ａの出力は正確である。あるいは、測距センサから入力された物標点の情報の数が多いときには、当該物標点の情報の数が少ないときに比べて、自己位置同定部２２ａの出力は正確である。あるいは、測距センサにより検出された物標点の位置と道路地図内の物標点の位置との誤差が小さいときには、当該誤差が大きいときに比べて、自己位置同定部２２ａの出力は正確である。
【００４２】
あるいは、障害物検出部２２ｂの出力である障害物の情報が正確であるときには、この情報が不正確であるときに比べて、自動運転出力信頼度は高い。この場合、例えば、測距センサにより検出された物標点の位置の数が多いときには、当該位置の数が少ないときに比べて、障害物検出部２２ｂの出力は正確である。あるいは、測距センサにより検出された物標点の位置と、道路地図内の物標点の位置との差の平方の和が小さいときには、当該和が大きいときに比べて、障害物検出部２２ｂの出力は正確である。あるいは、測距センサにより検出された物標点の形状とテンプレートの形状との一致点の数が多いときには、当該一致点の数が少ないときに比べて、障害物検出部２２ｂの出力は正確である。
【００４３】
動的／静的識別部２２ｃの出力である動的障害物の情報もしくは静的障害物の情報が正確であるときには、この情報が不正確であるときに比べて、自動運転出力信頼度は高い。この場合、例えば、道路地図に記憶されている静的障害物であって、自車両Ｖの位置から検出可能な静的障害物の数に対する、実際に検出された静的障害物の数の割合が高いときには、当該割合が低いときに比べて、動的／静的識別部２２ｃの出力は正確である。あるいは、所定時刻前に検出された動的障害物の形状、体積などと、現在検出された動的障害物の形状、体積などとの一致の程度が高いときには、当該一致の程度が低いときに比べて、動的／静的識別部２２ｃの出力は正確である。
【００４４】
トラッキング部２２ｄの出力である平滑化済みの動的障害物の動きの情報が正確であるときには、この情報が不正確であるときに比べて、自動運転出力信頼度は高い。この場合、例えば、検出された動的障害物の情報に基づき、動的障害物の位置が推定され、動的障害物の実際の位置に対する推定された位置の偏差が小さいときには、当該偏差が大きいときに比べて、トラッキング部２２ｄの出力は正確である。
【００４５】
統合認知部２２ｅの出力である統合車外環境情報が正確であるときには、この情報が不正確であるときに比べて、自動運転出力信頼度は高い。この場合、例えば、自己位置同定部２２ａの出力、障害物検出部２２ｂの出力、動的／静的識別部２２ｃの出力、及びトラッキング部２２ｄの出力の整合性の程度が高いときには、当該整合性の程度が低いときに比べて、統合認知部２２ｅの出力は正確である。例えば、障害物検出部２２ｂが或る障害物を歩行者であると検出し、動的／静的識別部２２ｃが当該障害物を静的障害物であると検出する場合がある。このような場合に、障害物検出部２２ｂの出力と動的／静的識別部２２ｃの出力との整合性の程度が低いと判断される。なお、当該障害物が人の写真を含むポスターである場合に、このような不整合が生ずるおそれがある。
【００４６】
信号機状態認識部２２ｆの出力である信号機の状態の情報が正確であるときには、この情報が不正確であるときに比べて、自動運転出力信頼度は高い。この場合、例えば、自車両の現在位置と道路地図とに基づき、自車両の現在位置から検出されると予測される信号機の寸法が算出され、当該寸法と前方カメラにより実際に検出された信号機の寸法との偏差が小さいときには、当該偏差が大きいときに比べて、信号機状態認識部２２ｆの出力は正確である。
【００４７】
別の実施例（図示しない）では、例えば、車両が目標進路に従って走行できなかったと仮定したときの車両の危険性が算出され、当該危険性が低下又は維持される場合には、当該危険性が増大する場合に比べて、目標進路の信頼性、すなわち判断／進路生成部２２ｇの出力の信頼度は高い。
【００４８】
更に、図５に示されるように、自動運転制御部２２の出力は、測距センサ、ＧＰＳ受信部、ＩＭＵ、及び前方カメラの出力に基づいて求められる。したがって、自動運転制御部２２の出力の信頼性の度合いは、測距センサ、ＧＰＳ受信部、ＩＭＵ、及び前方カメラの出力の信頼性の度合いにも依存する。そこで、本発明による第１実施例では、測距センサ、ＧＰＳ受信部、ＩＭＵ、及び前方カメラのうち少なくとも１つの出力の信頼性の度合いに基づいて自動運転出力信頼度が算出される。
【００４９】
更に、自動運転出力信頼度は、車両が走行する道路の形状（例えば、カーブと直線部の種別、カーブの曲率、交差点、合流点及び分岐点の位置など）や、車両の周囲の状況（例えば、車両が交差点内にあるか否か、車両が駅前にあるか否か、など）にも依存する。すなわち、例えば、車両がカーブを走行する場合には、車両が直線部を走行する場合に比べて、自己位置同定部２２ａの出力が不正確になる可能性が高く、したがって自動運転出力信頼度が低いと推測される。あるいは、駅前には多数の歩行者及び車両が存在していると考えられるので、車両が駅前にある場合には、そうでない場合に比べて、障害物検出部２２ｂの出力が不正確になる可能性が高く、したがって自動運転出力信頼度が低いと推測される。そこで、本発明による第１実施例では、例えば、自動運転出力信頼度が、地図データベース４内の地図情報又は記憶装置５内の道路地図と関連付けて記憶され、自車両が走行する地図上の位置に基づいて自動運転出力信頼度が算出される。
【００５０】
また、本発明による第１実施例では、車両が実際に走行したときに、車両が走行した地図上の位置に、このとき算出された自動運転出力信頼度が関連付けて記憶される。次いで、車両が当該位置を走行したときには、当該位置と関連付けられている自動運転出力信頼度がこのときの自動運転出力信頼度として算出される。
【００５１】
なお、上述したように、自動運転が困難であると判断されたときは、ドライバに対しマニュアル運転が要求される。本発明による第１実施例では、自動運転出力信頼度があらかじめ定められた一定の下限値よりも低いときに自動運転が困難と判断され、ドライバに対しマニュアル運転が要求される。
【００５２】
一方、ドライバ用心度は上述したように、自動運転に対するドライバの用心の度合いを表している。すなわち、ドライバ用心度は、自動運転時にドライバがどの程度マニュアル運転に対する準備ができているかを表している。具体的には、ドライバのマニュアル運転に対する準備が十分であるときには、この準備が不十分なときに比べて、ドライバ用心度は高い。
【００５３】
このドライバ用心度は上述したドライバの状態に基づいて算出される。具体的には、例えば、ドライバの視線が車両Ｖの前方に向いているときには、ドライバが脇見をしているときに比べて、ドライバ用心度は高い。あるいは、ドライバの視線が車両Ｖの前方を向いている時間が長くかつドライバがサイドミラー又はバックミラーを見る頻度が高いときには、ドライバの視線が車両Ｖの前方を向いている時間が短いとき又はドライバがサイドミラー又はバックミラーを見る頻度が低いときに比べて、ドライバ用心度は高い。ドライバの視線が障害物、特に動的障害物に向いている時間が長いときには、この時間が短いときに比べて、ドライバ用心度は高い。ドライバの瞬きの頻度が高いときには、ドライバの瞬きの頻度が低いときに比べて、ドライバ用心度は高い。ドライバが腕組みしていないときには、ドライバが腕組みしているときに比べて、ドライバ用心度は高い。ドライバがセカンドタスクをしていないときには、ドライバがセカンドタスクをしているときに比べて、ドライバ用心度は高い。なお、ドライバ用心度は、ドライバが行っているセカンドタスクの種類又は時間にも依存する。ドライバがステアリングを把持しているときには、ドライバがステアリングを把持していないときに比べて、ドライバ用心度は高い。ドライバの着座圧の分布の偏りが小さいときには、分布の偏りが大きいときに比べて、ドライバ用心度は高い。あるいは、ドライバの着座圧の分布のあらかじめ定められた基準分布に対する偏差が小さいときには、当該偏差が大きいときに比べて、ドライバ用心度は高い。一例では基準分布は一定である。別の例では、基準分布は個々のドライバに応じて設定される。ドライバ用座席の背もたれ部分の向きが垂直に近いときには、背もたれ部分の向きが水平に近いときに比べて、ドライバ用心度は高い。ドライバの心拍数が高いときには、ドライバの心拍数が低いときに比べて、ドライバ用心度は高い。
【００５４】
上述したドライバに対する働き掛けが行なわれると、ドライバ用心度が上昇する。この場合、ドライバ用心度の上昇幅はドライバに対する働き掛けの強さに依存する。すなわち、ドライバに対する働き掛けが強いときには、ドライバ用心度は大幅に上昇する。ドライバに対する働き掛けが弱いときにはドライバ用心度はわずかに上昇し又はほとんど変わらない。一方、ドライバに対する働き掛けが行われないときには、ドライバ用心度を上昇させる行動をドライバが自発的に行なわない限り、ドライバ用心度は時間の経過と共に低下する。したがって、ドライバに対する働き掛けを制御することにより、ドライバ用心度を制御することができる。
【００５５】
さて、本発明による第１実施例では、自動運転出力信頼度及びドライバ用心度により定まる動作点が属しうる領域に、自動運転出力信頼度が低くなるにつれてドライバ用心度が高くなるように延びる少なくとも１本の境界線により複数の領域部分が区画されている。また、複数の領域部分のうちの一部が目標領域部分に設定されている。
【００５６】
図６に示される例では、動作点が属しうる領域に、自動運転出力信頼度が低くなるにつれてドライバ用心度が高くなるようにそれぞれ延びる２本の境界線Ｂ１，Ｂ２により３つの領域部分Ｒ１，Ｒ２，Ｒ３が区画されている。なお、図６において、縦軸の自動運転出力信頼度は上に向かうにつれて高くなり、横軸のドライバ用心度は左に向かうにつれて高くなる。第１の境界線Ｂ１は自動運転出力信頼度がより低くかつドライバ用心度がより低い側にあり、第２の境界線Ｂ２は自動運転出力信頼度がより高くかつドライバ用心度がより高い側にある。第１の領域部分Ｒ１は第１の境界線Ｂ１に関して自動運転出力信頼度がより低くかつドライバ用心度がより低い側にある。第２の領域部分Ｒ２は第１の境界線Ｂ１と第２の境界線Ｂ２との間にある。第３の領域部分Ｒ３は第２の境界線Ｂ２に関して自動運転出力信頼度がより高くかつドライバ用心度がより高い側にある。
【００５７】
また、３つの領域部分Ｒ１，Ｒ２，Ｒ３のうちの１つ、具体的には第２の領域部分Ｒ２が目標領域部分ＲＴに設定されている。図６では目標領域部分ＲＴにドットが付されている。領域部分Ｒ１，Ｒ２，Ｒ３及び目標領域部分ＲＴは図６に示されるマップの形で記憶部２１のＲＯＭ内にあらかじめ記憶されている。なお、図６に示される例では、境界線Ｂ１，Ｂ２も目標領域部分ＲＴに含まれる。
【００５８】
その上で、本発明による第１実施例では、働き掛け制御部２５は、動作点が目標領域部分ＲＴ内に維持されるようにドライバに対する働き掛けの強さを制御するように構成されている。
【００５９】
すなわち、図７にＰ１で示されるように動作点が第１の領域部分Ｒ１内に属するときには、動作点が目標領域部分ＲＴ内まで移動するようにドライバに対する働き掛けの強さが制御される。具体的には、ドライバに対し比較的強い働き掛けが行なわれ、それによりドライバ用心度が比較的大きく高められ、したがって動作点が目標領域部分ＲＴ内まで移動される。この場合、ドライバに対する働き掛けが過度に強いと動作点が第２の領域部分Ｒ２内まで移動され、ドライバに対する働き掛けが過度に弱いとドライバ用心度が上昇されたとしても動作点は第１の領域部分Ｒ１内に維持される。本発明による第１実施例では、動作点が目標領域部分ＲＴ内に移動するようにドライバに対する働き掛けの強さが選択される。なお、働き掛け部１０によりドライバに対する働き掛けが行なわれても、自動運転出力信頼度は変化しない。したがって、ドライバに対する働き掛けが行なわれると、自動運転出力信頼度が維持されつつドライバ用心度が変化される。
【００６０】
一方、図７にＰ２で示されるように動作点が第２の領域部分Ｒ２又は目標領域部分ＲＴ内に属するときには、動作点が目標領域部分ＲＴ内に維持されるようにドライバに対する働き掛けの強さが制御される。具体的には、ドライバに対し比較的弱い働き掛けが行なわれ、それによりドライバ用心度が比較的小さく高められ又は維持され、したがって動作点が目標領域部分ＲＴ内に維持される。
【００６１】
図７にＰ３で示されるように動作点が目標領域部分ＲＴ外の第３の領域部分Ｒ３内に属するときには、動作点が目標領域部分ＲＴ内まで移動するようにドライバに対する働き掛けの強さが制御される。具体的には、動作点が第３領域部分Ｒ３内に属するときには、ドライバに対する働き掛けの強さがゼロにされ、すなわちドライバに対する働き掛けが停止される。上述したように、ドライバに対する働き掛けが行われないと、ドライバ用心度は時間の経過と共に低下する。したがって、動作点はその後に目標領域部分ＲＴ内まで移動することになる。本発明による別の実施例（図示しない）では、動作点が第３の領域部分Ｒ３内に属するときに、動作点が目標領域部分ＲＴ内まで移動するようにドライバに対しごく弱い働き掛けが行われる。
【００６２】
このように、本発明による第１実施例では、動作点が目標領域部分ＲＴ外の第１の領域部分Ｒ１内に又は第３の領域部分Ｒ３内に移動したときに、動作点が目標領域部分ＲＴ内に戻される。なお、図８に矢印Ａ１で示されるように自動運転出力信頼度が低下する場合や、図８に矢印Ａ２で示されるようにドライバ用心度が低下する場合に、動作点が目標領域部分ＲＴから第１の領域部分Ｒ１に移動する。一方、図８に矢印Ａ３で示されるように自動運転出力信頼度が上昇する場合や、図８に矢印Ａ４で示されるようにドライバ用心度が上昇する場合に、動作点が目標領域部分ＲＴから第３の領域部分Ｒ３に移動する。無論、自動運転出力信頼度及びドライバ用心度が同時に変化する場合もある。
【００６３】
動作点が第１の領域部分Ｒ１内に属するときにはドライバは過度にリラックスしており、動作点が第３の領域部分Ｒ３内に属するときにはドライバは過度に緊張していると考えることができる。これに対し、動作点が第２の領域部分Ｒ２又は目標領域部分ＲＴ内に属するときには、ドライバは適度にリラックス又は緊張していると考えることができる。したがって、本発明による第１実施例では、ドライバが適切な状態にあるように、ドライバに対する働き掛けの強さが制御される、ということになる。
【００６４】
しかも、本発明による第１実施例では、目標領域部分ＲＴは、自動運転出力信頼度が低くなるにつれてドライバ用心度が高くなるように延びる境界線Ｂ１，Ｂ２により画定され、したがって自動運転出力信頼度が低くなるにつれてドライバ用心度が高くなるように拡がる。このため、動作点が目標領域部分ＲＴ内に維持されると、自動運転出力信頼度が高いときにはドライバ用心度が低く制御されることになる。このことは、ドライバが過度に緊張するおそれがないことを意味している。一方、自動運転出力信頼度が低いときにはドライバ用心度が高く制御されることになる。したがって、ドライバが過度にリラックスするおそれがない。このように、自動運転出力信頼度が高いときにも低いときにも、ドライバ用心度が適切に維持される。
【００６５】
このように本発明による第１実施例では、図９に示されるように、動作点が第１の領域部分Ｒ１内に属するときにはドライバに対し比較的強い働き掛けが行われ、動作点が目標領域部分ＲＴ内に属するときにはドライバに対し比較的弱い働き掛けが行われ、動作点が第３の領域部分Ｒ３内に属するときにはドライバに対する働き掛けが行われない。そうすると、働き掛け制御部２５は、動作点が属する領域部分に応じて異なるようにドライバに対する働き掛けの強さを制御するように構成されている、ということになる。なお、ドライバに対する働き掛けの強さは例えば図９に示されるマップの形で記憶部２１のＲＯＭ内にあらかじめ記憶されている。
【００６６】
図１０は、本発明による第１実施例の働き掛け制御部２５で行われる処理を示すルーチンを示している。このルーチンはあらかじめ定められた設定時間ごとに繰り返し実行される。図１０を参照すると、ステップ１００では自動運転出力信頼度が算出される。続くステップ１０１ではドライバ用心度が算出される。続くステップ１０２では、図６のマップを用いて、自動運転出力信頼度及びドライバ用心度により定まる動作点が属する領域部分が決定される。続くステップ１０３では、図９のマップを用いて、ドライバに対する働き掛けの強さが決定される。続くステップ１０４では、算出された強さでもってドライバに対する働き掛けが実行される。
【００６７】
図１１及び図１２は境界線の別の例を示している。図６に示される例では２本の境界線Ｂ１，Ｂ２は互いに平行に延びる直線である。これに対し、図１１に示される例では、境界線Ｂ１，Ｂ２は互いに非平行に延びている。具体的には、自動運転出力信頼度が高くなりかつドライバ用心度が低くなるにつれて互いに離れるように境界線Ｂ１，Ｂ２は延びる。別の例（図示しない）では、自動運転出力信頼度が高くなりかつドライバ用心度が低くなるにつれて互いに近づくように境界線Ｂ１，Ｂ２は延びる。一方、図１２に示される例では、境界線Ｂ１，Ｂ２は曲線である。具体的には、境界線Ｂ１，Ｂ２は上に凸の曲線である。別の例（図示しない）では境界線Ｂ１，Ｂ２は下に凸の曲線である。更に別の例（図示しない）では、境界線Ｂ１，Ｂ２の一部が上に凸の曲線であり、残りが下に凸の曲線である。更に別の例（図示しない）では、境界線Ｂ１，Ｂ２の一部が直線であり、残りが曲線である。
【００６８】
図１３から図１６は境界線及び目標領域部分の別の例をそれぞれ示している。図６に示される例では、動作点が属しうる領域に２本の境界線により３つの領域部分が区画される。これに対し、図１３に示される例では、動作点が属しうる領域に１本の境界線Ｂにより２つの領域部分Ｒ１，Ｒ２が区画される。第１の領域部分Ｒ１は境界線Ｂに関して自動運転出力信頼度がより低くかつドライバ用心度がより低い側にある。第２の領域部分Ｒ２は境界線Ｂに関して自動運転出力信頼度がより高くかつドライバ用心度がより高い側にある。また、図１３に示される例では、第２の領域部分Ｒ２が目標領域部分ＲＴに設定される。
【００６９】
一方、図１４から図１６に示される例では、動作点が属しうる領域に３本の境界線Ｂ１，Ｂ２，Ｂ３により４つの領域部分Ｒ１，Ｒ２，Ｒ３，Ｒ４が区画される。第１の領域部分Ｒ１は第１の境界線Ｂ１に関して自動運転出力信頼度がより低くかつドライバ用心度がより低い側にある。第２の領域部分Ｒ２は第１の境界線Ｂ１と第２の境界線Ｂ２との間にある。第３の領域部分Ｒ３は第２の境界線Ｂ２と第３の境界線Ｂ３との間にある。第４の領域部分Ｒ４は第３の境界線Ｂ３に関して自動運転出力信頼度がより高くかつドライバ用心度がより高い側にある。
【００７０】
図１４に示される例では、第３の領域部分Ｒ３が目標領域部分ＲＴに設定される。図１５に示される例では、第２の領域部分Ｒ２が目標領域部分ＲＴに設定される。図１６に示される例では、複数の領域部分、すなわち第２の領域部分Ｒ２及び第３の領域部分Ｒ３が目標領域部分ＲＴに設定される。この点、第１の境界線Ｂ１と第３の境界線Ｂ３との間にある領域部分Ｒ２，Ｒ３が目標領域部分ＲＴに設定されると考えることもできる。
【００７１】
したがって、図６及び図１４から図１６に示される例を包括的に表現すると、動作点が属しうる領域に少なくとも２本の境界線により少なくとも３つの領域部分に分割されており、境界線のうち２本の境界線の間の領域部分が目標領域部分に設定されている、ということになる。
【００７２】
なお、図１３に示される例では、例えば、動作点が第１の領域部分Ｒ１内に属するときにはドライバに対し比較的強い働き掛けが行なわれ、動作点が第２の領域部分Ｒ２内に属するときにはドライバに対し比較的弱い働き掛けが行なわれ、それにより動作点が目標領域部分ＲＴ内に維持される。一方、図１４から図１６に示される例では、例えば、動作点が第１の領域部分Ｒ１内に属するときにはドライバに対し比較的強い働き掛けが行われ、動作点が第２の領域部分Ｒ２内に属するときにはドライバに対し比較的弱い働き掛けが行われ、動作点が目標領域部分ＲＴ内に属するときにはドライバに対しごく弱い働き掛けが行われ、動作点が第４の領域部分Ｒ４内に属するときにはドライバに対する働き掛けが行われず、それにより動作点が目標領域部分ＲＴ内に維持される。
【００７３】
更に、図１４に示される例において、目標領域部分ＲＴよりも自動運転出力信頼度が低くかつドライバ用心度が低い側にある第１の領域部分Ｒ１及び第２の領域部分Ｒ２に着目すると、第１の領域部分Ｒ１は目標領域部分ＲＴに隣接しておらず、目標領域部分ＲＴから比較的遠い。また、第２の領域部分Ｒ２は目標領域部分ＲＴに隣接しており、目標領域部分ＲＴから比較的近い。一方、上述したように、動作点が第１の領域部分Ｒ１内に属するときにはドライバに対する働き掛けは比較的強く、動作点が第２の領域部分Ｒ２内に属するときにはドライバに対する働き掛けは比較的弱い。
【００７４】
一方、図１５に示される例において、目標領域部分ＲＴよりも自動運転出力信頼度が高くかつドライバ用心度が高い側にある第３の領域部分Ｒ３及び第４の領域部分Ｒ４に着目すると、第３の領域部分Ｒ３は目標領域部分ＲＴに隣接しており、目標領域部分ＲＴから比較的近い。また、第４の領域部分Ｒ４は目標領域部分ＲＴに隣接しておらず、目標領域部分ＲＴから比較的遠い。一方、上述したように、動作点が第３の領域部分Ｒ３内に属するときにはドライバに対する働き掛けは比較的強く、動作点が第４の領域部分Ｒ４内に属するときにはドライバに対する働き掛けは比較的弱い。
【００７５】
そうすると、図１４及び図１５に示される例では、目標領域部分ＲＴ外に、境界線Ｂ１，Ｂ３により、目標領域部分ＲＴに近い領域部分Ｒ２，Ｒ３と目標領域部分から遠い領域部分Ｒ１，Ｒ４が区画されており、働き掛け制御部２５は、動作点が目標領域部分ＲＴ外にあるときにおいて、動作点が目標領域部分に近い領域部分Ｒ２，Ｒ３に属するときと、動作点が目標領域部分から遠い領域部分Ｒ１，Ｒ４に属するときとで、互いに異なるようにドライバに対する働き掛けの強さを制御するように構成されている、と考えることができる。更に、図１４に示される例では、働き掛け制御部２５は、動作点が目標領域部分ＲＴよりも自動運転出力信頼度が低くかつドライバ用心度が低い側の領域部分Ｒ１，Ｒ２内に属するときにおいて、動作点が目標領域部分ＲＴから遠い領域部分Ｒ１に属するときには、動作点が目標領域部分ＲＴに近い領域部分Ｒ２に属するときに比べて、ドライバに対する働き掛けが強くなるように構成されている、ということになる。図１５に示される例では、働き掛け制御部２５は、動作点が目標領域部分ＲＴよりも自動運転出力信頼度が高くかつドライバ用心度が高い側の領域部分Ｒ３，Ｒ４内に属するときにおいて、動作点が目標領域部分ＲＴから遠い領域部分Ｒ４に属するときには、動作点が目標領域部分ＲＴに近い領域部分Ｒ３に属するときに比べて、ドライバに対する働き掛けが弱くなるように構成されている、ということになる。その結果、いずれの例でも、目標領域部分ＲＴ外にある動作点が速やかに目標領域部分ＲＴ内に戻される。
【００７６】
なお、上述したように本発明による第１実施例では、自動運転出力信頼度があらかじめ定められた下限値よりも低いときに、ドライバに対しマニュアル運転が要求される。言い換えると、自動運転出力信頼度が下限値よりも高いときには、ドライバが自発的にマニュアル運転を開始しない限り、自動運転が継続される。ところが、自動運転出力信頼度は突然低下するおそれがあり、したがって動作点が突然、目標領域部分ＲＴ外の第１の領域部分Ｒ１に移動するおそれがある。この場合、ドライバ用心度が過度に低いおそれがあり、ドライバのマニュアル運転に対する準備が十分でないおそれがある。そこで本発明による別の実施例（図示しない）では、自動運転が継続して行われた時間があらかじめ定められた設定時間を越えるごとに、ドライバに対する働き掛けが一時的に強められ、それによりドライバ用心度が一時的に高められる。その結果、自動運転出力信頼度が突然低下したとしても、ドライバはマニュアル運転に対応することができる。この場合のドライバに対する働き掛けとして、例えば、ＨＭＩ７を介して、ドライバに対しマニュアル運転が要求される。具体的には、車両の駆動、制動及び操舵の全部又は一部の操作がドライバに対し要求される。次いで、マニュアル運転が例えば一定時間だけ行われると、自動運転が再開される。あるいは、ドライバが自動運転を開始すべき入力操作を行うと、自動運転が再開される。
【００７７】
ところで、例えばドライバがサングラスをかけており、又は、ドライバが逆光状態にあると、ドライバ状態センサ９がドライバ状態、たとえばドライバの視線を検出することが困難となり、したがってドライバ用心度を正確に算出することができないおそれがある。ドライバ用心度を正確に算出できないと、動作点を正確に決定できず、動作点が属する領域部分を正確に決定できない。一方、このような状況下であっても、自動運転が継続されるのが好ましい。そこで本発明による別の実施例（図示しない）では、ドライバ用心度を正確に算出できないときには、ドライバに対し強い働き掛けを行いながら、自動運転が継続される。したがって、ドライバ用心度が高く維持された状態のもとで、自動運転が継続される。本発明による別の実施例（図示しない）では、ドライバ用心度を正確に算出できないときには、マニュアル運転が要求される。
【００７８】
ドライバに対する働き掛けの別の例を説明する。動作点が目標領域部分ＲＴから第１の領域部分Ｒ１に移動したときに動作点が目標領域部分ＲＴ内に戻るようにドライバに対する働き掛けが制御される。この場合、動作点の第１の領域部分Ｒ１への移動が自動運転出力信頼度の低下によるときには、この自動運転出力信頼度の低下の原因に応じて異なるように、ドライバに対する働き掛けの種類が制御される。すなわち、例えば、自己位置同定部２２ａの出力精度低下により自動運転出力信頼度が低下した場合には、ドライバ用座席の背もたれ部分の向きが垂直に近づけられ、それにより、ドライバが直ちにマニュアル運転を開始できるように、ドライバ用心度が高められる。動的障害物の特定精度低下により統合認知部２２ｅの出力精度が低下し、それにより自動運転出力信頼度が低下した場合、又は、トラッキング部２２ｄの出力精度低下により自動運転出力信頼度が低下した場合には、当該動的障害物に向くようにドライバの視線が誘導される。すなわち、例えば当該動的障害物がドライバの右側に位置する場合には、働き掛け部１０のうちドライバの右側に位置するランプ等が点灯又は点滅される。動的障害物の数が多すぎるために動的／静的識別部２２ｃの出力精度が低下し、それにより自動運転出力信頼度が低下した場合には、ドライバが直ちにマニュアル運転を開始できるように、例えば視覚的働き掛け又は視覚的働き掛け及び聴覚的働き掛けが行われる。ドライバの視線を誘導するだけでは不十分だからである。障害物検出部２２ｂの出力精度低下により自動運転出力信頼度が低下した場合には、直ちにドライバに対しマニュアル運転が要求される。障害物検出部２２ｂの出力の精度低下は外部センサ１などの故障による可能性が高く、自動運転を継続するのは困難であると考えられるからである。
【００７９】
次に、本発明による第２実施例を説明する。以下では、本発明による第１実施例との相違点について説明する。
【００８０】
図１７は本発明による第２実施例の車両の自動運転制御システムのブロック図を示している。図１７を参照すると、電子制御ユニット２０は、目標用心度算出部３０及び用心度偏差算出部３１を更に備える。
【００８１】
目標用心度算出部３０は、ドライバ用心度の下限目標値である下限目標用心度を自動運転出力信頼度に基づいて算出するように構成されている。この下限目標用心度は図１８に示されるように、自動運転出力信頼度が高くなるにつれて低くなる。下限目標用心度は図１８に示されるマップの形で記憶部２１のＲＯＭ内にあらかじめ記憶されている。
【００８２】
再び図１７を参照すると、用心度偏差算出部３１は、下限目標用心度に対するドライバ用心度の偏差である用心度偏差を算出するように構成されている。本発明による第２実施例では、用心度偏差は差の形で表される（ドライバ用心度−下限目標用心度）。本発明による別の実施例（図示しない）では用心度偏差は比の形で表される（用心度偏差＝ドライバ用心度／下限目標用心度）。
【００８３】
その上で、本発明による第２実施例では、働き掛け制御部２５は、ドライバ用心度が下限目標用心度以上に維持されるようにかつ用心度偏差に応じて異なるようにドライバに対する働き掛けの強さを制御するように構成されている。このことを、図１９を参照して説明する。
【００８４】
図１９において、ＰＸは自動運転出力信頼度がＤＲＸでありドライバ用心度がＤＶＸである場合の動作点を示している、また、ＬＶＬは、自動運転出力信頼度に応じて定まる下限目標用心度を結んで得られる線を示している。図１９に示されるように、自動運転出力信頼度がＤＲＸのときの下限目標用心度はＤＶＬである。したがって、本発明による第２実施例では、ドライバ用心度がＤＶＬ以上となるように、ドライバに対する働き掛けの強さが制御される。
【００８５】
その結果、自動運転出力信頼度が高いときにはドライバ用心度が低く制御され、自動運転出力信頼度が低いときにはドライバ用心度が高く制御されることになる。したがって、自動運転出力信頼度が高いときにも低いときにも、ドライバ用心度が適切に維持される。
【００８６】
また、このときの用心度偏差は（ＤＶＸ−ＤＶＬ）となる。本発明による第２実施例では、この用心度偏差に応じて異なるように、ドライバに対する働き掛けの強さが制御される。具体的には、用心度偏差が小さいときには、用心度偏差が大きいときに比べて、強くなるようにドライバに対する働き掛けが制御される。
【００８７】
すなわち、本発明による第２実施例では、図２０に示されるように、用心度偏差が小さくなるにつれて強くなるようにドライバに対する働き掛けが制御される。ドライバに対する働き掛けの強さは図２０に示されるマップの形で記憶部２１のＲＯＭ内にあらかじめ記憶されている。これに対し、本発明による別の実施例では、図２１に示されるように、用心度偏差が正値及びゼロのときにはドライバに対する働き掛けがゼロに制御され、すなわちドライバに対する働き掛けが停止され、用心度偏差が負値のときには用心度偏差が小さくなるにつれて強くなるようにドライバに対する働き掛けが制御される。なお、用心度偏差が負値であるのはドライバ用心度が下限目標用心度よりも低いときであり、用心度偏差が正値であるのはドライバ用心度が下限目標用心度よりも高いときである。
【００８８】
その結果、ドライバ用心度が下限目標用心度よりも低いときにはドライバ用心度が速やかに下限目標用心度以上に制御され、ドライバ用心度が下限目標用心度以上のときにはドライバ用心度が下限目標用心度以上に確実に維持される。
【００８９】
図２２は、本発明による第２実施例の働き掛け制御部２５で行われる処理を示すルーチンを示している。このルーチンはあらかじめ定められた設定時間ごとに繰り返し実行される。図２２を参照すると、ステップ２００では自動運転出力信頼度が算出される。続くステップ２０１ではドライバ用心度が算出される。続くステップ２０２では、例えば図１８のマップを用いて下限目標用心度が算出される。続くステップ２０３では、用心度偏差が算出される。続くステップ２０４では、図２０のマップを用いてドライバに対する働き掛けの強さが決定される。続くステップ２０５では、算出された強さでもってドライバに対する働き掛けが実行される。
【００９０】
なお、図６に示される例では、ドライバ用心度が、境界線Ｂ１により表されるドライバ用心度以上に維持され、かつ、境界線Ｂ２により表されるドライバ用心度以下に維持されるように、ドライバに対する働き掛けの強さが制御される、と考えることができる。そうすると、境界線Ｂ１はドライバ用心度の下限目標である下限目標用心度に、境界線Ｂ２はドライバ用心度の上限目標である上限目標用心度に、それぞれ対応する。そこで、本発明による別の実施例（図示しない）では、目標用心度算出部３０は、ドライバ用心度の上限目標である上限目標用心度を自動運転出力信頼度に基づいて算出するように構成されており、上限目標用心度は自動運転出力信頼度が低くなるにつれて高くなり、働き掛け制御部２５は、ドライバ用心度が下限目標用心度以上かつ上限目標用心度以下に維持されるように、かつ、用心度偏差に応じて異なるように、ドライバに対する働き掛けの強さを制御するように構成されている。
【００９１】
ところで、自動運転を継続して行うことが可能な時間を自動運転継続可能時間と称すると、自動運転継続可能時間が長いときには、自動運転継続可能時間が短いときに比べて、自動運転出力信頼度は高い。一方、ドライバがマニュアル運転を開始するのに必要な時間を運転切換必要時間と称すると、運転切換必要時間が短いときには、運転切換必要時間が長いときに比べて、ドライバ用心度は高い。ここで、自動運転からマニュアル運転へのスムーズな切り換えのことを考えると、運転切換必要時間は自動運転継続可能時間以下であるのが好ましい。そこで、運転切換必要時間が下限目標用心度に対応すると考えると、ドライバ用心度を下限目標用心度以上に維持するということは、運転切換必要時間を自動運転継続可能時間以下に維持するということに対応する。すなわち、本発明による第２実施例では、運転切換必要時間が自動運転継続可能時間以下に維持されるようにドライバに対する働き掛けの強さが制御される、ということになる。
【００９２】
次に、本発明による第３実施例を説明する。以下では、本発明による第２実施例との相違点について説明する。
【００９３】
図２３は本発明による第３実施例の車両の自動運転制御システムのブロック図を示している。図２３を参照すると、車両の自動運転制御システムは、ドライバが視認可能な表示部４０を更に備える。表示部４０は例えば、画像情報を表示するディスプレイを備える。本発明による第３実施例では、表示部４０及びＨＭＩ７は共通のディスプレイを備える。本発明による別の実施例（図示しない）では表示部４０及びＨＭＩ７はそれぞれ個別のディスプレイを備える。
【００９４】
一方、電子制御ユニット２０は、表示部４０を制御して表示部４０に自動運転出力信頼度及びドライバ用心度を同時に表示するように構成されている表示制御部５０を更に備える。
【００９５】
図２４は、表示部４０における表示の一例を示している。図２４において４１ｒで示されるように、自動運転出力信頼度は、自動運転出力信頼度が高くなるにつれて第１の軸線４２ａに沿いつつ第１の端部４３ａから第２の端部４３ｂに向かうように表示部４０に表示される。具体的には、自動運転出力信頼度は、第１の端部４３ａと第２の端部４３ｂとの間に第１の軸線４２ａに沿って配置された複数のブロック４４ｒにより表示される。これらブロック４４ｒは例えば点灯された状態又は消灯された状態で表示される。自動運転出力信頼度が高くなるにつれて、第１の端部４３ａの側から順に、点灯表示されるブロック４４ｒの数が増大される。図２４に示される例では、点灯表示されたブロック４４ｒはハッチングと共に描かれており、消灯表示されているブロック４４ｒは破線でもって描かれている。したがって、図２４に示される例では表示部４０は、自動運転出力信頼度が７段階のうち４段階にあることを示している。
【００９６】
一方、図２４において４１ｖで示されるように、ドライバ用心度が高くなるにつれて第１の軸線４２ａに沿いつつ第２の端部４３ｂから第１の端部４３ａに向かうようにドライバ用心度が表示部４０に表示される。具体的には、ドライバ用心度は、第１の端部４３ａと第２の端部４３ｂとの間に第１の軸線４２ａに沿って配置された複数のブロック４４ｖにより表示される。これらブロック４４ｖは例えば点灯された状態又は消灯された状態で表示される。ドライバ用心度が高くなるにつれて、第２の端部４３ｂの側から順に、点灯表示されるブロック４４ｖの数が増大される。なお、図２４に示される例では、点灯表示されたブロック４４ｖはハッチングと共に描かれており、消灯表示されているブロック４４ｖは破線でもって描かれている。したがって、図２４に示される例では表示部４０は、ドライバ用心度が７段階のうち４段階にあることを示している。
【００９７】
更に、ドライバ用心度が下限目標用心度に等しいときに、表示された自動運転出力信頼度４１ｒと表示されたドライバ用心度４１ｖとが第１の軸線４２ａに垂直な第２の軸線４２ｂ方向に見て互いに一致するように、自動運転出力信頼度及びドライバ用心度が表示部４０に表示される。図２４に示される例では、表示された自動運転出力信頼度と表示されたドライバ用心度とが第２の軸線４２ｂ方向に見て互いに一致している。このようにしているのは次の理由による。
【００９８】
図２５は、ドライバ用心度が図２４に示される場合よりも低い場合を示している。したがって、図２５は、ドライバ用心度が下限目標用心度よりも低い場合を示している。この場合、図２５にＸで示されるように、第２の軸線４２ｂ方向に見て、表示された自動運転出力信頼度４１ｒと表示されたドライバ用心度４１ｖとは互いに重なっていない。
【００９９】
これに対し、図２６は、ドライバ用心度が図２４に示される場合よりも高い場合を示している。したがって、図２６は、ドライバ用心度が下限目標用心度よりも高い場合を示している。この場合、図２６にＹで示されるように、第２の軸線４２ｂ方向に見て、表示された自動運転出力信頼度４１ｒと表示されたドライバ用心度４１ｖとは互いに重なっている。
【０１００】
すなわち、ドライバ用心度が下限目標用心度以上であるときには、表示された自動運転出力信頼度４１ｒと表示されたドライバ用心度４１ｖとが互いに重なり、ドライバ用心度が下限目標用心度よりも低いときには、表示された自動運転出力信頼度４１ｒと表示されたドライバ用心度４１ｖとは互いに重ならない。したがって、本発明による第３実施例のように自動運転出力信頼度及びドライバ用心度を並べて表示すると、ドライバ用心度が下限目標用心度以上であるか否かを、ドライバが容易に理解することができる。このため、表示された自動運転出力信頼度４１ｒと表示されたドライバ用心度４１ｖとが互いに重なっていないときに、これらが互いに重なるように、ドライバがドライバ用心度を高めることが可能となる。
【０１０１】
なお、図２７は自動運転出力信頼度が図２４に示される場合よりも低い場合を示している。この場合、下限目標用心度は高いので、ドライバ用心度は高い必要がある。一方、図２８は自動運転出力信頼度が図２４に示される場合よりも高い場合を示している。この場合、下限目標用心度は低いので、ドライバ用心度は低くて構わない。
【０１０２】
上述したように表示部４０の表示内容によってドライバ用心度が高められる。この意味で、本発明による第３実施例の表示部４０は本発明による第１実施例及び第２実施例の働き掛け部１０としても機能し、本発明による第３実施例の表示制御部５０は本発明による第１実施例及び第２実施例の働き掛け制御部２５としても機能する。
【０１０３】
図２９は、本発明による第３実施例の表示制御部５０で行われる処理を示すルーチンを示している。このルーチンはあらかじめ定められた設定時間ごとに繰り返し実行される。図２９を参照すると、ステップ３００では自動運転出力信頼度が算出される。続くステップ３０１ではドライバ用心度が算出される。続くステップ３０２では、例えば図１８のマップを用いて下限目標用心度が算出される。続くステップ３０３では、表示部４０に自動運転出力信頼度及びドライバ用心度が表示される。
【０１０４】
図３０は、表示部４０における表示の別の例を示している。図３０において４１ｒで示されるように、自動運転出力信頼度は、自動運転出力信頼度が高くなるにつれて第１の軸線４２ａに沿いつつ第１の端部４３ａから第２の端部４３ｂに連続的に向かうバーにより表示される。この場合、自動運転出力信頼度が高くなるにつれて、バーの長さが長くなるようにバーが表示される。
【０１０５】
一方、図３０において４１ｖで示されるように、ドライバ用心度は、ドライバ用心度が高くなるにつれて第１の軸線４２ａに沿いつつ第２の端部４３ｂから第１の端部４３ａに向かう線分により表示される。この場合、ドライバ用心度が高くなるにつれて第２の端部４３ｂから離れるように線分が表示される。
【０１０６】
更に、ドライバ用心度が下限目標用心度に等しいときに、表示された自動運転出力信頼度４１ｒと表示されたドライバ用心度４１ｖとが第１の軸線４２ａに垂直な第２の軸線４２ｂ方向に見て互いに一致するように、自動運転出力信頼度及びドライバ用心度が表示部４０に表示される。したがって、ドライバ用心度が下限目標用心度以上であるときには、表示された自動運転出力信頼度４１ｒと表示されたドライバ用心度４１ｖとが互いに重なり、ドライバ用心度が下限目標用心度よりも低いときには、表示された自動運転出力信頼度４１ｒと表示されたドライバ用心度４１ｖとは互いに重ならない。図３０に示される例では、表示された自動運転出力信頼度４１ｒと表示されたドライバ用心度４１ｖとが互いに重なっており、ドライバ用心度が下限目標用心度以上であることが示されている。
【０１０７】
図３１は、表示部４０における表示更に別の例を示している。図３１に示される例では、４１ｒで示されるように、自動運転出力信頼度の時間履歴が折れ線グラフの形で表示され、４１ｖで示されるように自動運転出力信頼度の時間履歴が折れ線グラフの形で表示される。
【０１０８】
図３２は、表示部４０における表示更に別の例を示している。図３２に示される例では、４１ｄで示されるように、上述した用心度偏差が表示される。この場合、用心度偏差は、用心度偏差が大きくなるにつれて第１の軸線４２ａに沿いつつ第１の端部４３ａから第２の端部４３ｂに向かうように表示部４０に表示される。図３２に示される例では、用心度偏差がゼロ以上のときに、用心度偏差が大きくなるにつれて、第１の端部４３ａの側から順に、点灯表示されるブロック４４ｄの数が増大される。言い換えると、用心度偏差がゼロよりも小さいとき、すなわちドライバ用心度が下限目標用心度よりも低いときには、すべてのブロック４４ｄが消灯表示される。その結果、ドライバ用心度が下限目標用心度以上であるか否かを、ドライバが容易に理解することができる。
【０１０９】
本開示は以下を含む。
［構成１］
ドライバの状態を検出するドライバ状態センサと、前記ドライバに対する働き掛けを行うことが可能な働き掛け部と、電子制御ユニットと、を備えた、マニュアル運転と自動運転とを切り換え可能な車両の自動運転制御システムであって、
前記電子制御ユニットは、
自動運転を制御するように構成されている自動運転制御部と、
前記自動運転制御部の出力の信頼性の度合いを表す自動運転出力信頼度を算出するように構成されている信頼度算出部と、
前記自動運転に対するドライバの用心の度合いを表すドライバ用心度を前記ドライバ状態センサにより検出されたドライバの状態に基づいて算出するように構成されている用心度算出部と、
前記働き掛け部を制御して前記ドライバへの働き掛けの強さを制御するように構成されている働き掛け制御部と、
を備え、
前記自動運転出力信頼度及び前記ドライバ用心度により定まる動作点が属しうる領域に、前記自動運転出力信頼度が低くなるにつれて前記ドライバ用心度が高くなるように延びる少なくとも１本の境界線により複数の領域部分が区画されており、
前記働き掛け制御部は、前記動作点が属する領域部分に応じて異なるように前記ドライバに対する働き掛けの強さを制御するように構成されている、
車両の自動運転制御システム。
［構成２］
前記複数の領域部分のうちの一部が目標領域部分に設定されており、
前記働き掛け制御部は、前記動作点が前記目標領域部分内に維持されるように前記ドライバに対する働き掛けの強さを制御するように構成されている、
構成１に記載の車両の自動運転制御システム。
［構成３］
前記動作点が属しうる領域に少なくとも２本の前記境界線により少なくとも３つの領域部分が区画されており、
前記境界線のうち２本の境界線の間の領域部分が前記目標領域部分に設定されている、
構成２に記載の車両の自動運転制御システム。
［構成４］
前記目標領域部分外の前記領域に、前記境界線により、前記目標領域部分に近い前記領域部分と前記目標領域部分から遠い前記領域部分とが区画されており、
前記働き掛け制御部は、前記動作点が前記目標領域部分外にあるときにおいて、前記動作点が前記目標領域部分に近い前記領域部分に属するときと、前記動作点が前記目標領域部分から遠い前記領域部分に属するときとで、互いに異なるように前記ドライバに対する働き掛けの強さを制御するように構成されている、
構成２又は３に記載の車両の自動運転制御システム。
［構成５］
ドライバの状態を検出するドライバ状態センサと、前記ドライバに対する働き掛けを行うことが可能な働き掛け部と、電子制御ユニットと、を備えた、マニュアル運転と自動運転とを切り換え可能な車両の自動運転制御システムであって、
前記電子制御ユニットは、
自動運転を制御するように構成されている自動運転制御部と、
前記自動運転制御部の出力の信頼性の度合いを表す自動運転出力信頼度を算出するように構成されている信頼度算出部と、
前記自動運転に対するドライバの用心の度合いを表すドライバ用心度を前記ドライバ状態センサにより検出されたドライバの状態に基づいて算出するように構成されている用心度算出部と、
前記ドライバ用心度の下限目標値である下限目標用心度を前記自動運転出力信頼度に基づいて算出するように構成されている目標用心度算出部であって、前記下限目標用心度は前記自動運転出力信頼度が低くなるにつれて高くなる、目標用心度算出部と、
前記下限目標用心度に対する前記ドライバ用心度の偏差である用心度偏差を算出するように構成されている用心度偏差算出部と、
前記働き掛け部を制御して前記ドライバへの働き掛けの強さを制御するように構成されている働き掛け制御部と、
を備え、
前記働き掛け制御部は、前記ドライバ用心度が前記下限目標用心度以上に維持されるようにかつ前記用心度偏差に応じて異なるように前記ドライバに対する働き掛けの強さを制御するように構成されている、
車両の自動運転制御システム。
［構成６］
前記働き掛け制御部は、前記用心度偏差が小さいときには、前記用心度偏差が大きいときに比べて、強くなるように前記ドライバに対する働き掛けの強さを制御するように構成されている、
構成５に記載の車両の自動運転制御システム。
［構成７］
ドライバの状態を検出するドライバ状態センサと、前記ドライバが視認可能な表示部と、電子制御ユニットと、を備えた、マニュアル運転と自動運転とを切り換え可能な車両の自動運転制御システムであって、
前記電子制御ユニットは、
自動運転を制御するように構成されている自動運転制御部と、
前記自動運転制御部の出力の信頼性の度合いを表す自動運転出力信頼度を算出するように構成されている信頼度算出部と、
前記自動運転に対するドライバの用心の度合いを表すドライバ用心度を前記ドライバ状態センサにより検出されたドライバの状態に基づいて算出するように構成されている用心度算出部と、
前記表示部を制御して前記表示部に前記自動運転出力信頼度及び前記ドライバ用心度を同時に表示するように構成されている表示制御部と、
を備える、車両の自動運転制御システム。
［構成８］
前記電子制御ユニットは、前記ドライバ用心度の下限目標である下限目標用心度を前記自動運転出力信頼度に基づいて算出するように構成されている目標用心度算出部であって、前記下限目標用心度は前記自動運転出力信頼度が低くなるにつれて高くなる、目標用心度算出部を更に備え、
前記表示制御部は前記表示部に、前記自動運転出力信頼度が高くなるにつれて第１の軸線に沿いつつ第１の端部から第２の端部に向かうように前記自動運転出力信頼度を表示し、前記ドライバ用心度が高くなるにつれて前記第１の軸線に沿いつつ前記第２の端部から前記第１の端部に向かうように前記ドライバ用心度を表示し、更に、前記ドライバ用心度が前記下限目標用心度に等しいときに、表示された前記自動運転出力信頼度と表示された前記ドライバ用心度とが前記第１の軸線に垂直な第２の軸線方向に見て互いに一致するように、前記自動運転出力信頼度及び前記ドライバ用心度を表示するように構成されている、
構成７に記載の車両の自動運転制御システム。
【符号の説明】
【０１１０】
９    ドライバ状態センサ
１０    働き掛け部
２０    電子制御ユニット
２２    自動運転制御部
２３    信頼度算出部
２４    用心度算出部
２５    働き掛け制御部
【図１】
2019021335.tif 000003
【図２】
2019021335.tif 000004
【図３】
2019021335.tif 000005
【図４】
2019021335.tif 000006
【図５】
2019021335.tif 000007
【図６】
2019021335.tif 000008
【図７】
2019021335.tif 000009
【図８】
2019021335.tif 000010
【図９】
2019021335.tif 000011
【図１０】
2019021335.tif 000012
【図１１】
2019021335.tif 000013
【図１２】
2019021335.tif 000014
【図１３】
2019021335.tif 000015
【図１４】
2019021335.tif 000016
【図１５】
2019021335.tif 000017
【図１６】
2019021335.tif 000018
【図１７】
2019021335.tif 000019
【図１８】
2019021335.tif 000020
【図１９】
2019021335.tif 000021
【図２０】
2019021335.tif 000022
【図２１】
2019021335.tif 000023
【図２２】
2019021335.tif 000024
【図２３】
2019021335.tif 000025
【図２４】
2019021335.tif 000026
【図２５】
2019021335.tif 000027
【図２６】
2019021335.tif 000028
【図２７】
2019021335.tif 000029
【図２８】
2019021335.tif 000030
【図２９】
2019021335.tif 000031
【図３０】
2019021335.tif 000032
【図３１】
2019021335.tif 000033
【図３２】
2019021335.tif 000034